(57)【要約】【課題】  信頼性試験や実装後の時間経過、周囲環境の変化により、接合部材が膨張及び収縮を繰り返した場合でも、光軸ずれや接合部材の剥離が生じない光ヘッドを提供する。【解決手段】  開示される光ヘッドは、光ディスクの情報記録面で反射された反射光ビームを検出する光検出器３を保持する光検出器保持板１が取り付けられるハウジングを有するものである。この光ヘッドでは、光検出器保持板１には、内面に平坦部１１及び１２を有する貫通孔１ａ及び１ｂが穿設され、ハウジングには、外面に平坦部１５及び１６を有する支柱２ａ及び２ｂが形成されている。光検出器保持板１は、貫通孔１ａ及び１ｂにより支柱２ａ及び２ｂに遊嵌され、貫通孔１ａ及び１ｂの平坦部１１又は１２と、支柱２ａ及び２ｂの平坦部１５又は１６とにより形成される空隙３１又は３２に接合部材４及び５が充填されて固定されている。【選択図】  図３
2007226922.tif 000002
【特許請求の範囲】
【請求項１】
光ディスクにデータの記録又は再生を行うための光ビームを出射するレーザダイオードがレーザホルダを介して取り付けられるともに、前記光ディスクの情報記録面で反射された反射光ビームを検出する光検出器を保持する光検出器保持板が取り付けられるハウジングを有する光ヘッドであって、
前記レーザホルダ又は前記光検出器保持板は、内面に平坦部を有する貫通孔が穿設され、
前記ハウジングは、外面に平坦部を有する支柱が形成され、
前記レーザホルダ又は前記光検出器保持板は、前記貫通孔により前記支柱に遊嵌され、前記貫通孔の前記平坦部と前記支柱の前記平坦部とにより形成される空隙に接合部材が充填されて固定されている
ことを特徴とする光ヘッド。
【請求項２】
前記レーザホルダ又は前記光検出器保持板は、前記貫通孔が複数穿設されるとともに、前記ハウジングは、前記複数の貫通孔に対応して複数の前記支柱が形成され、
前記レーザホルダ又は前記光検出器保持板は、各前記貫通孔により対応する前記支柱に遊嵌され、各前記貫通孔の前記平坦部と対応する前記支柱の前記平坦部とにより同一方向に形成される複数の空隙に接合部材がそれぞれ充填されて固定されている
ことを特徴とする請求項１に記載の光ヘッド。
【請求項３】
前記貫通孔の前記平坦部と対応する前記支柱の前記平坦部とにより前記空隙が複数形成される場合には、最も狭い前記空隙に前記複合部材が充填されて固定されていることを特徴とする請求項１又は２に記載の光ヘッド。
【請求項４】
光ディスクにデータの記録又は再生を行うための光ビームを出射するレーザダイオードがレーザホルダを介して取り付けられるともに、前記光ディスクの情報記録面で反射された反射光ビームを検出する光検出器を保持する光検出器保持板が取り付けられるハウジングを有する光ヘッドの製造方法であって、
外面に平坦部を有する支柱が形成された前記ハウジングを前記支柱の材軸方向が水平方向と平行となるように保持しつつ、内面に平坦部を有する貫通孔が穿設された前記レーザホルダ又は前記光検出器保持板を前記貫通孔により前記支柱に遊嵌し、前記レーザホルダ又は前記光検出器保持板を位置調整した後、前記貫通孔の前記平坦部と前記支柱の前記平坦部とにより形成される空隙に接合部材を充填して固定する
ことを特徴とする光ヘッドの製造方法。
【請求項５】
前記レーザホルダ又は前記光検出器保持板は、前記貫通孔が複数穿設されるとともに、前記ハウジングは、前記複数の貫通孔に対応して複数の前記支柱が形成され、
前記ハウジングを前記支柱の材軸方向が水平方向と平行となるように保持しつつ、前記レーザホルダ又は前記光検出器保持板を各前記貫通孔により対応する前記支柱に遊嵌し、前記レーザホルダ又は前記光検出器保持板を位置調整した後、各前記貫通孔の前記平坦部と対応する前記支柱の前記平坦部とにより同一方向に形成される複数の空隙に接合部材をそれぞれ充填して固定する
ことを特徴とする請求項３に記載の光ヘッドの製造方法。
【請求項６】
前記貫通孔の前記平坦部と対応する前記支柱の前記平坦部とにより前記空隙が複数形成される場合には、最も狭い前記空隙に前記複合部材を充填して固定することを特徴とする請求項４又は５に記載の光ヘッドの製造方法。
【請求項７】
請求項１乃至３のいずれかに記載の光ヘッドを備えることを特徴とする光記録再生装置。
【発明の詳細な説明】
【技術分野】
【０００１】
本発明は、光ディスク等の光記録媒体にデータの記録又は再生を行う光ヘッド、この光ヘッドの製造方法及びこの光ヘッドを備えた光記録再生装置に関する。
【背景技術】
【０００２】
従来の光ヘッドには、光ディスクの情報記録面で反射された反射光を検出する光検出器を保持する光検出器保持板に楕円穴を穿設するとともに、対物レンズを駆動する対物レンズ駆動装置を支持するハウジング（ケース）に、光検出器保持板に穿設された楕円穴に挿入可能な突起を形成したものがある。この従来の光ヘッドでは、上記楕円穴に挿入された突起の先端部を光検出器保持板の外面より突出させ、この突出した突起の先端部と光検出器保持板の外面とを含む部分を接着剤を介して接続固定している（例えば、特許文献１参照。）。
【特許文献１】特開２００３−２５７０４９号公報（請求項６，［００２４］〜［００３４］、図３，図４）
【発明の開示】
【発明が解決しようとする課題】
【０００３】
上記特許文献１の段落［００２４］には、「少なくとも突出された突起１５の先端部と光検出器保持板１３の外面との間に接着剤１６が供給されていれば足りる。」と記載されている。しかし、上記特許文献１の段落［００２９］には、「ディスペンサにより所要量の接着剤を塗布すると、表面張力によって接着剤１６は隙間の狭い側に向かって両側から流れ、楕円の短径部で合流し、突起１５の外周と楕円穴１４の内周の間が全周塗布されると共に、光検出器保持板１３とケース９の光検出器保持板取付面２１とのすきま２２に表面張力によって侵入し、粘性力とバランスするところまで侵入する。」とも記載されている。なお、上記「表面張力」は、「毛管現象」の誤りであると思われる。
【０００４】
「毛管現象」という物理現象の発生を人為的に阻止することはできないから、結局、接着剤は、常に、突起外周と楕円穴内周との間全周に塗布されるだけでなく、光検出器保持板とハウジング（ケース）の光検出器保持板取付面とのすきまにまで侵入することになる。従って、上記特許文献１に記載された光ヘッドでは、突起の外周に塗布された接着剤が様々な方向へ収縮しつつ硬化し、接合完了後には、接着剤内部に互いに影響し合う（引っ張り合う）応力が残留することになる。
【０００５】
このため、上記特許文献１に記載された光ヘッドでは、信頼性試験（例えば、温度約７０℃で約１５０時間放置、温度約６０℃及び湿度約９０％の環境下で約１５０時間放置）や実装後の時間経過あるいは周囲環境の変化によって、接着剤が膨張及び収縮を繰り返した場合、ハウジングを構成する突起の外周に塗布された接着剤が様々な方向へ引っ張り合うので、光検出器保持板の３次元における位置ずれが発生し、光軸がずれたり、接着剤が剥離したりして光ヘッドの性能が劣化するおそれがある。
【０００６】
以上説明した不都合は、光源であるレーザダイオード又はこのレーザダイオードを保持するレーザホルダを位置調整した後、接着剤を用いてハウジングに固着する場合にも同様に当てはまる。
さらに、最近では、例えば、ＤＶＤ（Digital Versatile Disk）プレーヤ等において、波長の短い青色の光ビームを照射する青色レーザダイオード等のレーザダイオードが用いられるようになってきている。このように取り扱う光ビームの波長が短い場合には、光検出器の取付精度はもちろん、レーザダイオード又はこのレーザダイオードを保持するレーザホルダの取付精度について許容量が少ないため、以上説明した不都合の影響は甚大である。
【０００７】
本発明は、上述した事情に鑑みてなされたものであり、上述のような課題を解決することができる光ヘッド、その製造方法及び光記録再生装置を提供することを目的とする。
【課題を解決するための手段】
【０００８】
上記課題を解決するために、請求項１記載の発明に係る光ヘッドは、光ディスクにデータの記録又は再生を行うための光ビームを出射するレーザダイオードがレーザホルダを介して取り付けられるともに、前記光ディスクの情報記録面で反射された反射光ビームを検出する光検出器を保持する光検出器保持板が取り付けられるハウジングを有する光ヘッドに係り、前記レーザホルダ又は前記光検出器保持板は、内面に平坦部を有する貫通孔が穿設され、前記ハウジングは、外面に平坦部を有する支柱が形成され、前記レーザホルダ又は前記光検出器保持板は、前記貫通孔により前記支柱に遊嵌され、前記貫通孔の前記平坦部と前記支柱の前記平坦部とにより形成される空隙に接合部材が充填されて固定されていることを特徴としている。
【０００９】
また、請求項２記載の発明は、請求項１記載の光ヘッドに係り、前記レーザホルダ又は前記光検出器保持板は、前記貫通孔が複数穿設されるとともに、前記ハウジングは、前記複数の貫通孔に対応して複数の前記支柱が形成され、前記レーザホルダ又は前記光検出器保持板は、各前記貫通孔により対応する前記支柱に遊嵌され、各前記貫通孔の前記平坦部と対応する前記支柱の前記平坦部とにより同一方向に形成される複数の空隙に接合部材がそれぞれ充填されて固定されていることを特徴としている。
また、請求項３記載の発明は、請求項１又は２に記載の光ヘッドに係り、前記貫通孔の前記平坦部と対応する前記支柱の前記平坦部とにより前記空隙が複数形成される場合には、最も狭い前記空隙に前記複合部材が充填されて固定されていることを特徴としている。
【００１０】
また、請求項４記載の発明に係る光ヘッドの製造方法は、光ディスクにデータの記録又は再生を行うための光ビームを出射するレーザダイオードがレーザホルダを介して取り付けられるともに、前記光ディスクの情報記録面で反射された反射光ビームを検出する光検出器を保持する光検出器保持板が取り付けられるハウジングを有する光ヘッドの製造方法に係り、外面に平坦部を有する支柱が形成された前記ハウジングを前記支柱の材軸方向が水平方向と平行となるように保持しつつ、内面に平坦部を有する貫通孔が穿設された前記レーザホルダ又は前記光検出器保持板を前記貫通孔により前記支柱に遊嵌し、前記レーザホルダ又は前記光検出器保持板を位置調整した後、前記貫通孔の前記平坦部と前記支柱の前記平坦部とにより形成される空隙に接合部材を充填して固定することを特徴としている。
【００１１】
また、請求項５記載の発明に係る光ヘッドの製造方法は、請求項４に記載の光ヘッドの製造方法に係り、前記レーザホルダ又は前記光検出器保持板は、前記貫通孔が複数穿設されるとともに、前記ハウジングは、前記複数の貫通孔に対応して複数の前記支柱が形成され、前記ハウジングを前記支柱の材軸方向が水平方向と平行となるように保持しつつ、前記レーザホルダ又は前記光検出器保持板を各前記貫通孔により対応する前記支柱に遊嵌し、前記レーザホルダ又は前記光検出器保持板を位置調整した後、各前記貫通孔の前記平坦部と対応する前記支柱の前記平坦部とにより同一方向に形成される複数の空隙に接合部材をそれぞれ充填して固定することを特徴としている。
また、請求項６記載の発明は、請求項４又は５に記載の光ヘッドの製造方法に係り、前記貫通孔の前記平坦部と対応する前記支柱の前記平坦部とにより前記空隙が複数形成される場合には、最も狭い前記空隙に前記複合部材を充填して固定することを特徴としている。
【００１２】
また、請求項７記載の発明に係る光記録再生装置は、請求項１乃至３のいずれかに記載の光ヘッドを備えることを特徴としている。
【発明の効果】
【００１３】
本発明によれば、請求項１記載の発明に係る光ヘッドは、光ディスクにデータの記録又は再生を行うための光ビームを出射するレーザダイオードがレーザホルダを介して取り付けられるともに、前記光ディスクの情報記録面で反射された反射光ビームを検出する光検出器を保持する光検出器保持板が取り付けられるハウジングを有する光ヘッドに係り、前記レーザホルダ又は前記光検出器保持板は、内面に平坦部を有する貫通孔が穿設され、前記ハウジングは、外面に平坦部を有する支柱が形成され、前記レーザホルダ又は前記光検出器保持板は、前記貫通孔により前記支柱に遊嵌され、前記貫通孔の前記平坦部と前記支柱の前記平坦部とにより形成される空隙に接合部材が充填されて固定されている。
【００１４】
従って、この光ヘッドでは、信頼性試験を行ったり、実装後に時間が経過したり、あるいは実装時に周囲環境が変化したりした場合であっても、光ビームの光軸がずれたり、光検出器保持板又はレーザホルダとハウジングとを接合する接合部材が剥離したりして光ヘッドの性能が劣化するおそれは少ない。
【００１５】
また、請求項４記載の発明に係る光ヘッドの製造方法は、光ディスクにデータの記録又は再生を行うための光ビームを出射するレーザダイオードがレーザホルダを介して取り付けられるともに、前記光ディスクの情報記録面で反射された反射光ビームを検出する光検出器を保持する光検出器保持板が取り付けられるハウジングを有する光ヘッドの製造方法に係り、外面に平坦部を有する支柱が形成された前記ハウジングを前記支柱の材軸方向が水平方向と平行となるように保持しつつ、内面に平坦部を有する貫通孔が穿設された前記レーザホルダ又は前記光検出器保持板を前記貫通孔により前記支柱に遊嵌し、前記レーザホルダ又は前記光検出器保持板を位置調整した後、前記貫通孔の前記平坦部と前記支柱の前記平坦部とにより形成される空隙に接合部材を充填して固定している。
【００１６】
従って、接合部材が光検出器保持板又はレーザホルダの正面及び背面と支柱の平坦部とを接合することはない。このため、光検出器保持板又はレーザホルダには、接合部材に残留した斜め方向の応力が加えられることはない。これにより、光検出器保持板又はレーザホルダは、信頼性試験を行ったり、実装後に時間が経過したり、あるいは周囲環境が変化したりした場合であっても、光軸方向に対して傾くことはない。この結果、光検出器の受光面は、光軸に対して直交する状態を維持することができ、レーザダイオードの出射面は、支柱に平行な状態を維持することができる。
【００１７】
また、本発明によれば、請求項７記載の発明に係る光記録再生装置は、請求項１乃至３のいずれかに記載の光ヘッドを備えている。従って、この光記録再生装置では、信頼性試験を行ったり、実装後に時間が経過したり、あるいは実装時に周囲環境が変化したりした場合であっても、光ビームの光軸がずれたり、光検出器保持板とハウジングとを接合する接合部材が剥離したりして光ヘッドの性能が劣化するおそれは少ない。このため、良好な状態で光ディスクにデータの記録又は再生を行うことができる。
【発明を実施するための最良の形態】
【００１８】
実施の形態１．
図１は、本発明の実施の形態１に係る光ヘッドを構成する光検出器保持板１をハウジング２に固定した状態を説明するための概略正面図、図２は、図１の平面図、図３（ａ）及び（ｂ）は、それぞれ図１に示すＡの部分及びＢの部分の詳細図である。この例の光ヘッドは、図１〜図３においてすべてを図示しないが、光検出器保持板１と、対物レンズ駆動装置と、ハウジング２と、レーザダイオードと、光検出器３とを有している。
【００１９】
光検出器保持板１は、金属や合成樹脂などからなる。金属は、鉄（Ｆｅ）、銅（Ｃｕ）、亜鉛（Ｚｎ）又は銅（Ｃｕ）と亜鉛（Ｚｎ）の合金である黄銅、銅（Ｃｕ）と亜鉛（Ｚｎ）とニッケルニッケル（Ｎｉ）の合金である洋白若しくはこれらにニッケル（Ｎｉ）などをメッキしたものなどが好ましい。また、基本的にはハウジングの材質と同程度の線膨張係数の材質とすることが好ましい。
【００２０】
光検出器保持板１の長辺方向の両端近傍には、光検出器保持板１の短辺方向に略平行に２つの貫通孔１ａ及び１ｂがそれぞれ穿設されている。貫通孔１ａの内面は、図３（ａ）に示すように、光検出器保持板１の短辺方向に略平行な位置で対向する平坦部１１及び１２と、光検出器保持板１の長辺方向に略平行な位置で対向する湾曲部１３及び１４とから構成されている。湾曲部１３及び１４は、いずれも略円弧状に湾曲している。貫通孔１ａは、湾曲部１３の中点と湾曲部１４の中点とを結ぶ直線に対して対称な形状である。貫通孔１ｂは、貫通孔１ａの形状と同一の形状を有しているので、その形状について図３（ｂ）を参照して特に説明しない。光検出器保持板１の略中央には、図示しないが、略矩形状を呈する光路貫通孔が穿設されており、その光路貫通孔から受光面が露出するように４分割フォトダイオード等の光検出器３が取り付けられている。
【００２１】
図示せぬ対物レンズ駆動装置は、図示せぬ対物レンズをフォーカス方向及びトラッキング方向等に駆動する。ハウジング２は、例えば、アルミニウム（Ａｌ）、亜鉛（Ｚｎ）若しくはマグネシウム（Ｍｇ）又はこれらの合金等の金属や合成樹脂などからなる。光検出器３を長期にわたる実装状態において高精度で位置ずれさせないためには、光検出器保持板１の材軸方向における線膨張係数と、ハウジング２の光検出器保持板１の長手方向と平行する方向における線膨張係数とは、ほぼ等しいことが好ましい。
【００２２】
ハウジング２には、図示しないが、上記対物レンズ駆動装置の外周形状と略相似形状であって、上記対物レンズ駆動装置が遊嵌される貫通部が形成されている。対物レンズ駆動装置は、ハウジングの貫通部に遊嵌された状態で、ハウジング２とは、貫通部の上周縁部及び下周縁部のそれぞれ数箇所において接着剤等により固定されている。これにより、ハウジング２は、上記対物レンズ駆動装置を支持する。
【００２３】
ハウジング２の内部には、図示しないが、レーザダイオードから出射される光ビームの光路を変更して、対物レンズから出射させるとともに、対物レンズから入射された光ビームをフォトダイオード等からなる光検出器３の受光面に収束させるためのビームスプリッタ、コリメートレンズ等からなる光学系が設けられている。
【００２４】
ハウジング２の光検出器保持板取付面２１には、図示しないが、上記光学系を通過した光ビームが出射される光路貫通孔が形成されている。光検出器保持板取付面２１の光路貫通孔の両側近傍には、上記貫通孔１ａ及び１ｂの穿設間隔と略同一の間隔を隔てて、光検出器保持板取付面２１に略垂直に、２つの支柱２ａ及び２ｂがそれぞれ立設されている。支柱２ａ及び２ｂは、ハウジング２と一体に形成されている。
【００２５】
支柱２ａの外面は、図３（ａ）及び（ｂ）に示すように、平坦部１５及び１６と、湾曲部１７及び１８とから構成されている。支柱２ａの平坦部１５は、光検出器保持板１の光路貫通孔がハウジング２の光検出器保持板取付面２１の光路貫通孔と対向するように光検出器保持板１が支柱２ａ及び２ｂに遊嵌された状態において、貫通孔１ａの内面を構成する平坦部１１と対向する。同様に、支柱２ａの平坦部１６は、光検出器保持板１が支柱２ａ及び２ｂに遊嵌された状態において、貫通孔１ａの内面を構成する平坦部１２と対向する。
【００２６】
支柱２ａの湾曲部１７及び１８は、いずれも略円弧状に湾曲している。支柱２ａの湾曲部１７は、光検出器保持板１が支柱２ａ及び２ｂに遊嵌された状態において、貫通孔１ａの内面を構成する湾曲部１３と対向する。支柱２ａの湾曲部１８は、光検出器保持板１が支柱２ａ及び２ｂに遊嵌された状態において、貫通孔１ａの内面を構成する湾曲部１４と対向する。支柱２ａは、湾曲部１７の中点と湾曲部１８の中点とを結ぶ直線に対して対称な形状である。支柱２ｂは、支柱２ａの形状と同一の形状を有しているので、その形状について図３（ｂ）を参照して特に説明しない。支柱２ａ及び２ｂの平面形状は、貫通孔１ａ及び１ｂの平面形状と略相似形状を呈している。
【００２７】
光検出器保持板１は、支柱２ａ及び２ｂに遊嵌された状態において、図示せぬレーザダイオードから出射された光ビームの光軸方向に直交する２つの方向（図１に示すｘ方向及びｙ方向）又は光軸方向に平行な方向（図１に示すｚ方向）に位置調整された後、支柱２ａの平坦部１５と貫通孔１ａの平坦部１１との間の空隙３１と、支柱２ａの平坦部１６と貫通孔１ａの平坦部１２との間の空隙３２のうち、狭い方に接着剤や半田等の接合部材４が充填されて固定されている。同様に、支柱２ｂの平坦部１５と貫通孔１ｂの平坦部１１との間の空隙３１と、支柱２ｂの平坦部１６と貫通孔１ｂの平坦部１２との間の空隙３２のうち、狭い方に接着剤や半田等の接合部材５が充填されて固定されている。
【００２８】
また、図示せぬレーザダイオードは、例えば、ＤＶＤを記録再生するための波長６５０ｎｍの光ビーム又は、ＣＤ（Compact Disk）を記録再生するための波長７８０ｎｍの光ビームのいずれを出射するものである。このレーザダイオードは、図示せぬレーザホルダに収容された状態でハウジング２の所定の側面に形成された取付孔（図示略）に挿入され、レーザダイオードから出射される光ビームの光軸方向に直交する２つの方向又は光軸方向に平行な方向に位置調整された後、接着剤等により固定されている。レーザホルダは、例えば、亜鉛（Ｚｎ）等の熱伝導率が高い金属によりダイキャスト成形などを用いて形成されている。
【００２９】
次に、上記構成を有する光ヘッドのハウジング２に光検出器保持板１を固定する方法について説明する。前提として、ハウジング２の内部に設けられている図示せぬ光学系が既に位置調整されて固定されているとともに、上記図示せぬレーザダイオードも既に位置調整されて固定されているものとする。
【００３０】
まず、ハウジング２の支柱２ａ及び２ｂの各先端部２ａａ及び２ｂａが、図１において紙面に垂直に手前側に向かう（ｚ方向の−方向）ようにハウジング２を配置させる。次に、光検出器３が所定位置に取り付けられた光検出器保持板１を、光検出器３の受光面がハウジング２の光検出器保持板取付面２１の光路貫通孔と対向するように支柱２ａ及び２ｂに遊嵌させ、支柱２ａ及び２ｂの各先端部２ａａ及び２ｂａをそれぞれ光検出器保持板１の表面から突出させた状態において、光検出器保持板１を図示せぬ保持部材で保持する。
【００３１】
この状態において、上記図示せぬレーザダイオードから光ビームを出射させつつ、保持部材を用いて光検出器保持板１を図１においてｘ方向、ｙ方向又はｚ方向に移動させて、光検出器３で図示せぬ光ディスクからの反射光を受光して正確な情報信号とサーボ信号が検出できる位置に設定する。
【００３２】
次に、支柱２ａの平坦部１５と貫通孔１ａの平坦部１１との間の空隙３１と、支柱２ａの平坦部１５と貫通孔１ａの平坦部１１との間の空隙３２のうち、狭い方に接着剤や半田等の接合部材４を充填して固定する。同様に、支柱２ｂの平坦部１５と貫通孔１ｂの平坦部１１との間の空隙３３と、支柱２ｂの平坦部１５と貫通孔１ｂの平坦部１１との間の空隙３４のうち、狭い方に接着剤や溶融した半田等の接合部材５を充填して固定する。
【００３３】
この場合、支柱２ａ及び２ｂのそれぞれの平坦部１５及び１６と対応する貫通孔の平坦部１１及び１２とで形成される左右２つの空隙３１及び３２のうち、接合部材４及び５が充填されるものは、同一の方向に位置する空隙３１又は３２である。即ち、光検出器３の位置調整をした結果、図３（ａ）及び（ｂ）に示すように、空隙３２の方が空隙３１よりも狭い場合には、いずれの場合も空隙３２に接合部材４及び５がそれぞれ充填される。一方、光検出器３の位置調整をした結果、空隙３１の方が空隙３２よりも狭い場合には、いずれの場合も空隙３１に接合部材４及び５がそれぞれ充填される。
【００３４】
ここで、光検出器保持板１及びハウジング２がいずれも合成樹脂からなる場合に接合部材４及び５として用いる接着剤としては、例えば、主成分が変性アクリレートである紫外線硬化樹脂などがある。また、光検出器保持板１及びハウジング２がいずれも金属からなる場合に接合部材４及び５として用いる半田としては、例えば、スズ（Ｓｎ）を主成分とした、鉛（Ｐｂ）、銀（Ａｇ）、ビスマス（Ｂｉ）、銅（Ｃｕ）、亜鉛（Ｚｎ）、インジウム（Ｉｎ）の少なくともいずれかを１つを含むものなどがある。
【００３５】
接合部材４及び５が接着剤である場合、例えば、ディスペンサにより所要量の接着剤を空隙３１又は３２の上端から塗布すると、毛管現象により接着剤は空隙３１又は３２に入り込んで、空隙３１又は３２の下端まで到達し、空隙３１又は３２の下端では、接着剤の形状は、接着剤の重量、粘性係数、表面張力、大気圧、温度あるいは接触角等によって釣り合いがとれた形状となる。
【００３６】
次に、接合部材４及び５は、紫外線の照射や自然冷却等により硬化する過程において収縮する。しかし、この実施の形態１においては、接合部材４及び５は、支柱２ａ及び２ｂのそれぞれの平坦部１５及び１６と対応する貫通孔の平坦部１１及び１２とで形成される左右２つの空隙３１及び３２のうち、同一の方向に位置する空隙３１又は３２に充填されている。従って、接合部材４及び５は、硬化する過程において、いずれも充填された空隙３１又は３２をさらに狭めるように収縮する。この結果、光検出器保持板１は、図１に矢印で示す方向に移動することになる。
【００３７】
光検出器３の位置調整は、上記接合部材４及び５の収縮量を考慮して、行えば良い。上記接合部材４及び５の収縮率は、通常、その厚さ方向に対して１〜３％である。従って、例えば、上記接合部材４及び５の厚さが約０．５ｍｍである場合、収縮量は５〜１５μｍである。
【００３８】
また、この実施の形態１においては、接合部材４及び５は、支柱２ａ及び２ｂの各平坦部１５とそれぞれに対応する貫通孔１ａ及び１ｂの平坦部１１とで形成される空隙３１又は、支柱２ａ及び２ｂの各平坦部１６とそれぞれに対応する貫通孔１ａ及び１ｂの平坦部１２とで形成される空隙３２にだけ充填され、接合部材の硬化又は冷却する過程では、図１に示すｘ方向にだけ接合部材４及び５が収縮する。
【００３９】
従って、この実施の形態１では、従来のように、支柱の周囲に付けられた接合部材の様々な方向への収縮により接合完了後に接合部材内部に互いに影響し合う（引っ張り合う）応力が残留することはない。このような効果が得られるのは、この実施の形態１において、以下に示す構成を採用しているからに他ならない。
（１）支柱２ａと貫通孔１ａとが形成する空隙３１及び３２と、支柱２ｂと貫通孔１ｂとが形成する空隙３１及び３２とが同等（同性質、同次元）である。
（２）支柱２ａ及び２ｂは、対応する貫通孔１ａ及び１ｂの内部において位置調整しても、対応する貫通孔１ａ及び１ｂに接触しない程度に、支柱２ａ及び２ｂのそれぞれの断面形状と、対応する貫通孔１ａ及び１ｂの平面形状は異なっている。
（３）支柱２ａと支柱２ｂとは同一形状であるとともに、これらに対応する貫通孔１ａと貫通孔１ｂも同一形状である。
【００４０】
上記したように、接合完了後に接合部材内部に互いに影響し合う（引っ張り合う）応力が残留しないため、この実施の形態１では、信頼性試験や実装後の時間経過あるいは周囲環境の変化によって、接合部材４又は５が膨張及び収縮を繰り返した場合、光検出器保持板１は、図１に示すｘ方向にだけわずかに移動することになるが、接合時にその収縮量を考慮して接合しているので、光軸がずれたり、接合部材４又は５が剥離したりして光ヘッドの性能が劣化するおそれは少ない。
また、この実施の形態１では、空隙３１又は空隙３２のうち、狭い方に接合部材４及び５を充填しているので、接合部材４及び５の絶対量が少なく、接合部材４及び５の膨張又は収縮の影響を最小限に抑えることができる。
【００４１】
また、この実施の形態１では、ハウジング２の支柱２ａ及び２ｂの各先端部２ａａ及び２ｂａが、図１において紙面に垂直に手前側に向かう（ｚ方向の−方向）ようにハウジング２を配置させた状態で、空隙３１又は空隙３２にだけ接合部材４及び５を充填しているので、接合部材４及び５が光検出器保持板１の正面及び背面と支柱２ａ及び２ｂの平坦部１５及び１６とを接合することはない。
【００４２】
従って、光検出器保持板１には、図２に示すｘｚ平面において、接合部材４又は５に残留した斜め方向の応力が加えられることはない。これにより、光検出器保持板１は、信頼性試験を行ったり、実装後に時間が経過したり、あるいは周囲環境が変化したりした場合であっても、図２に示すｘｚ平面において、ｚ方向に傾くことはない。この結果、光検出器３の受光面は、光軸に対して直交する状態を維持することができる。
【００４３】
実施の形態２．
図４は、本発明の実施の形態２に係る光ヘッドを構成する光検出器保持板４１をハウジングに固定した状態を説明するための概略正面図、図５（ａ）及び（ｂ）は、それぞれ図４に示すＡの部分及びＢの部分の詳細図である。図４、図５（ａ）及び（ｂ）において、図１、図３（ａ）及び（ｂ）の各部に対応する部分には同一の符号を付け、その説明を省略する。
【００４４】
図４、図５（ａ）及び（ｂ）においては、図１、図３（ａ）及び（ｂ）に示す光検出器保持板１に換えて、光検出器保持板４１が新たに設けられている。本発明の実施の形態２が本発明の実施の形態１と異なる点は、以下に示す２点である。
【００４５】
（１）まず、光検出器保持板４１には、貫通孔１ａ及び１ｂに換えて、貫通孔４１ａ及び４１ｂが新たに穿設されている。貫通孔４１ａの内面は、図５（ａ）に示すように、光検出器保持板４１の短辺方向に略平行な位置で対向する平坦部４４及び４５と、光検出器保持板４１の長辺方向に略平行な位置で対向する湾曲部４６及び４７とから構成されている。湾曲部４６及び４７はいずれも、平坦部４４及び４５とのそれぞれの接続点から貫通孔４１ａの幅を広げるように左右それぞれに湾曲している。即ち、貫通孔４１ａの平面形状は、ほぼ大文字のＩの字状を呈している。貫通孔４１ａは、湾曲部４６の中点と湾曲部４７の中点とを結ぶ直線に対して対称な形状である。貫通孔４１ｂは、貫通孔４１ａの形状と同一の形状を有しているので、その形状について図５（ｂ）を参照して特に説明しない。
【００４６】
（２）次に、支柱２ａの平坦部１５と貫通孔４１ａの平坦部４４との間の空隙４８と、支柱２ａの平坦部１６と貫通孔４１ａの平坦部４５との間の空隙４９のうち、狭い方に接着剤や半田等の接合部材４２が充填されて固定されている。同様に、支柱２ｂの平坦部１５と貫通孔４１ｂの平坦部４４との間の空隙４８と、支柱２ｂの平坦部１６と貫通孔４１ｂの平坦部４５との間の空隙４９のうち、狭い方に接着剤や半田等の接合部材４３が充填されて固定されている。なお、上記構成を有する光ヘッドのハウジング２に光検出器保持板４１を固定する方法については、上述した実施の形態１の場合と略同様であるので、その説明を省略する。
【００４７】
このように、本発明の実施の形態２によれば、貫通孔４１ａ及び４１ｂを構成する湾曲部４６及び４７はいずれも、平坦部４４及び４５とのそれぞれの接続点から貫通孔４１ａの幅を広げるように左右それぞれに湾曲している。従って、例えば、接合部材４２をつける際に、その量が接合に必要な量を超えた場合であっても、空隙４８又は４９の下端に到達した接合部材４２は、貫通孔４１ａを構成する湾曲部４７に沿って垂れ、接合部材４２の形状は、接合部材４２の重量、粘性係数、表面張力、大気圧、温度あるいは接触角等によって釣り合いがとれた形状となると考えられる。
【００４８】
このような場合には、接合部材４２は、支柱２ａの湾曲部１８と貫通孔４１ａを構成する湾曲部４７とを接合する可能性が低いと考えられるので、接合完了後の接合部材内部には、光検出器保持板４１の貫通孔４１ａを構成する湾曲部４７の右肩部近傍を支柱２ａを構成する湾曲部１８の右下部側に引っ張る応力（図５（ａ）に示す破線の矢印参照。）が残留する可能性が低いと考えられる。従って、本発明の実施の形態２によれば、上述した実施の形態１で得られる効果はもちろん得られるが、その他、接合部材４２又は４３の量がある程度多くても、光ヘッドの性能劣化に影響を与えるおそれは少ない。
【００４９】
実施の形態３．
図６は、本発明の実施の形態３に係る光ヘッドを構成する光検出器保持板４１をハウジングに固定した状態を説明するための概略正面図、図７（ａ）及び（ｂ）は、それぞれ図６に示すＡの部分及びＢの部分の詳細図である。図６、図７（ａ）及び（ｂ）において、図４、図５（ａ）及び（ｂ）の各部に対応する部分には同一の符号を付け、その説明を省略する。
【００５０】
本発明の実施の形態３が本発明の実施の形態２と異なる点は、以下に示す２点である。
（１）まず、図示しないハウジングの光検出器保持板取付面に形成された光ビームが出射される光路貫通孔の両側近傍には、光検出器保持板４１を構成する貫通孔４１ａ及び４１ｂの穿設間隔と略同一の間隔を隔てて、光検出器保持板取付面に略垂直に、２つの支柱５１ａ及び５１ｂがそれぞれ立設されている。支柱５１ａ及び５１ｂは、ハウジングと一体に形成されている。
【００５１】
支柱５１ａの外面は、図７（ａ）及び（ｂ）に示すように、平坦部５４及び５５と、鋭角部５６及び５７とから構成されている。支柱５１ａの平坦部５４は、光検出器保持板４１の光路貫通孔がハウジングの光検出器保持板取付面の光路貫通孔と対向するように光検出器保持板４１が支柱５１ａ及び５１ｂに遊嵌された状態において、貫通孔４１ａの内面を構成する平坦部４４と対向する。同様に、支柱５１ａの平坦部５５は、光検出器保持板４１が支柱５１ａ及び５１ｂに遊嵌された状態において、貫通孔４１ａの内面を構成する平坦部４５と対向する。
【００５２】
支柱５１ａの鋭角部５６及び５７は、いずれも、平坦な２面が鋭角をなして結合している。支柱５１ａの鋭角部５６は、光検出器保持板４１が支柱５１ａ及び５１ｂに遊嵌された状態において、貫通孔４１ａの内面を構成する湾曲部４６と対向する。支柱５１ａの鋭角部５７は、光検出器保持板４１が支柱５１ａ及び５１ｂに遊嵌された状態において、貫通孔４１ａの内面を構成する湾曲部４７と対向する。支柱５１ａは、鋭角部５６の平坦な２面の結合点と鋭角部５７の平坦な２面の結合点とを結ぶ直線に対して対称な形状である。支柱５１ｂは、支柱５１ａの形状と同一の形状を有しているので、その形状について図７（ｂ）を参照して特に説明しない。支柱５１ａ及び５１ｂの平面形状は、略６角形状を呈している。
【００５３】
（２）次に、支柱５１ａの平坦部５４と貫通孔４１ａの平坦部４４との間の空隙５８と、支柱５１ａの平坦部５５と貫通孔４１ａの平坦部４５との間の空隙５９のうち、狭い方に接着剤や半田等の接合部材５２が充填されて固定されている。同様に、支柱５１ｂの平坦部５４と貫通孔４１ｂの平坦部４４との間の空隙５８と、支柱５１ｂの平坦部５５と貫通孔４１ｂの平坦部４５との間の空隙５９のうち、狭い方に接着剤や半田等の接合部材５３が充填されて固定されている。なお、上記構成を有する光ヘッドのハウジングに光検出器保持板４１を固定する方法については、上述した実施の形態１及び２の場合と略同様であるので、その説明を省略する。
【００５４】
このように、本発明の実施の形態３によれば、ハウジングを構成する支柱５１ａの鋭角部５６及び５７は、いずれも、平坦な２面が鋭角をなして結合している。従って、例えば、接合部材５２をつける際に、その量が接合に必要な量を超えた場合であっても、空隙５８又は５９の下端に到達した接合部材５２は、貫通孔４１ａを構成する湾曲部４７に沿って垂れ、接合部材５２の形状は、接合部材５２の重量、粘性係数、表面張力、大気圧、温度あるいは接触角等によって釣り合いがとれた形状となると考えられる。
【００５５】
このような場合には、接合部材５２は、支柱５１ａの鋭角部５７と貫通孔４１ａを構成する湾曲部４７とを接合する可能性が低いと考えられるので、接合完了後の接合部材内部には、光検出器保持板４１の貫通孔４１ａを構成する湾曲部４７の右肩部近傍を支柱５１ａを構成する遠隔部５７の右下部側に引っ張る応力（図７（ａ）に示す破線の矢印参照。）が残留する可能性が低いと考えられる。従って、本発明の実施の形態３によれば、上述した実施の形態２で得られる効果とほぼ同様の効果が得られる。
【００５６】
実施の形態４．
図８は、本発明の実施の形態４に係る光記録再生装置の構成を示す概略図である。この光記録再生装置は、上記した実施の形態１乃至３のいずれかに係る光ヘッド６１と、スピンドルモータ６２と、コントローラ６３と、レーザ駆動回路６４と、レンズ駆動回路６５とから概略構成されている。
【００５７】
スピンドルモータ６２は、コントローラ６３の制御の下、光ディスク６６を回転駆動する。コントローラ６３は、光ヘッド６１から供給されるフォトディテクタ検出信号に基づいて、スピンドルモータ６２、レーザ駆動回路６４及びレンズ駆動回路６５を制御する。レーザ駆動回路６４は、コントローラ６３の制御の下、光ヘッド６１を構成する光源（図示略）であるレーザダイオードを駆動するためのレーザ駆動信号を生成し、光ヘッド６１に供給する。レンズ駆動回路６５は、コントローラ６３の制御の下、光ヘッド６１を構成する対物レンズ（図示略）のフォーカシング及びトラッキングを制御するためのレンズ駆動信号を生成し、光ヘッド６１に供給する。
【００５８】
コントローラ６３は、フォーカスサーボ追従回路６７と、トラッキングサーボ追従回路６８と、レーザコントロール回路６９とを有している。フォーカスサーボ追従回路６７は、光ヘッド６１から供給されるフォトディテクタ検出信号に基づいて、回転している光ディスク６６の情報記録面に光ヘッド６１から出射された光ビームのフォーカスをかけるためのフォーカスサーボ信号を生成し、レンズ駆動回路６５に供給する。
【００５９】
トラッキングサーボ追従回路６８は、光ヘッド６１から供給されるフォトディテクタ検出信号に基づいて、光ディスク６６の偏芯している信号トラックに対して、光ヘッド６１から出射された光ビームのビームスポットを追従させるためのトラッキングサーボ信号を生成し、レンズ駆動回路６５に供給する。レーザコントロール回路６９は、光ヘッド６１から供給されるフォトディテクタ検出信号から抽出された光ディスク６６に記録されている記録条件設定情報に基づいて、適切なレーザ駆動信号の生成を行う。
【００６０】
このように、本発明の実施の形態４によれば、上記した実施の形態１乃至３のいずれかに係る光ヘッド６１を用いて光記録再生装置を構成している。従って、光記録再生装置は、信頼性試験を行ったり、実装後に時間が経過したり、あるいは実装時に周囲環境が変化したりした場合であっても、光ビームの光軸がずれたり、光検出器保持板とハウジングとを接合する接合部材が剥離したりして光ヘッドの性能が劣化するおそれは少ない。このため、良好な状態で光ディスクにデータの記録又は再生を行うことができる。
【００６１】
実施の形態５．
上述の実施の形態１〜４では、光源としてのレーザダイオードが１個設けられている光ヘッドや光ヘッドが１個のみ設けられている光記録再生装置の例を示したが、これに限定されない。本発明は、光源が複数個以上設けられている光ヘッドや光ヘッドが複数個設けられている光記録再生装置にも適用することができる。
【００６２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述した各実施の形態では、本発明を光検出器を位置調整した後、接合部材を用いてハウジングに固着する場合に適用する例を示したが、これに限定されない。本発明は、光源であるレーザダイオード又はこのレーザダイオードを保持するレーザホルダを位置調整した後、接合部材を用いてハウジングに固着する場合にも適用することができる。
【００６３】
また、上述した各実施の形態では、接合部材として接着剤又は半田を用いる例を示したが、これに限定されない。接合部材は、信頼性が高く、接合完了後に残留応力が少ないものであればどのようなものでも良い。
また、上述した各実施の形態では、光検出器保持板の貫通孔を平坦部が光検出器保持板の材軸方向に直交する方向に穿設するとともに、ハウジングの支柱を平坦部が光検出器保持板の材軸方向に直交する方向に形成する例を示したが、これに限定されない。例えば、光検出器保持板の貫通孔を平坦部が光検出器保持板の材軸方向に平行な方向に穿設するとともに、ハウジングの支柱を平坦部が光検出器保持板の材軸方向に平行な方向に形成しても良い。この場合、接合部材は、支柱の上側の平坦部と貫通孔の上側の平坦部との間に挿入する。
また、上述した各実施の形態は、その目的及び構成等に特に矛盾や問題がない限り、互いの技術を流用することができる。
【図面の簡単な説明】
【００６４】
【図１】本発明の実施の形態１に係る光ヘッドを構成する光検出器保持板をハウジングに固定した状態を説明するための概略正面図である。
【図２】図１の平面図である。
【図３】（ａ）は図１に示すＡの部分の詳細図、（ｂ）は図１に示すＢの部分の詳細図である。
【図４】本発明の実施の形態２に係る光ヘッドを構成する光検出器保持板をハウジングに固定した状態を説明するための概略正面図である。
【図５】（ａ）は図１に示すＡの部分の詳細図、（ｂ）は図１に示すＢの部分の詳細図である。
【図６】本発明の実施の形態３に係る光ヘッドを構成する光検出器保持板をハウジングに固定した状態を説明するための概略正面図である。
【図７】（ａ）は図１に示すＡの部分の詳細図、（ｂ）は図１に示すＢの部分の詳細図である。
【図８】本発明の実施の形態４に係る光記録再生装置の構成を示す概略図である。
【符号の説明】
【００６５】
１，４１  光検出器保持板
１ａ，１ｂ，４１ａ，４１ｂ  貫通孔
２  ハウジング
２ａ，２ｂ，５１ａ，５１ｂ  支柱
２ａａ，２ｂａ  先端部
３  光検出器
４，５，４２，４３，５２，５３  接合部材
１１，１２，１５，１６，４４，４５，５４，５５  平坦部
１３，１４，１７，１８，４６，４７  湾曲部
２１  光検出器保持板取付面
３１，３２，４８，４９，５８，５９  空隙
５６，５７  鋭角部
６１  光ヘッド
６２  スピンドルモータ
６３  コントローラ
６４  レーザ駆動回路
６５  レンズ駆動回路
６６  光ディスク
６７  フォーカスサーボ追従回路
６８  トラッキングサーボ追従回路
６９  レーザコントロール回路
【図１】
2007226922.tif 000003
【図２】
2007226922.tif 000004
【図３】
2007226922.tif 000005
【図４】
2007226922.tif 000006
【図５】
2007226922.tif 000007
【図６】
2007226922.tif 000008
【図７】
2007226922.tif 000009
【図８】
2007226922.tif 000010